(57)【特許請求の範囲】
【請求項１】
ベビーカー本体に揺動自在に装着される背もたれ基体と、その左右端部がベビーカー本体に夫々固定されると共に、背もたれ基体に装着されて、背もたれ基体を支えるリクライニングベルトとを有し、背もたれ基体に内装した長さ調節機構を介してリクライニングベルトの長さ調節ができるように形成して、背もたれ基体を任意の傾斜角度に傾けられるよう構成したベビーカー用リクライニング装置であって、前記長さ調節機構は、背もたれ基体に固定される基枠と、この基枠に回転自在に装着されるベルト巻取体と、背もたれ基体に揺動自在に装着される操作レバーと、この操作レバーに揺動自在に装着されるロックフレームとを備え、ベルト巻取体には、リクライニングベルトが巻込み、巻出し自在となるベルト巻取部と、略歯車状の係止歯部と、巻込スプリングが内蔵されるスプリング収容部とを設け、巻込スプリングに予め蓄積付与せしめた巻込み弾発力を利用して、リクライニングベルトがベルト巻取体に常時巻込まれるように形成し、ロックフレームには、ベルト巻取体の係止歯部に係脱自在に係止する停止歯部を設け、操作レバーの揺動操作に連繋してロックフレームが揺動し、停止歯部と係止歯部の係止状態が解除されたときに、長さ調節機構によるリクライニングベルトの長さ調節が行えるよう構成したことを特徴とするベビーカー用リクライニング装置。
【請求項２】
ロックフレームのストッパー取付部に取付ピンを介してストッパー片を揺動自在に装着すると共に、このストッパー片に、捩りコイルバネの弾発力を付与せしめ、ストッパー片の他端部が背もたれ基体に向って突出して、ロックフレームの揺動を阻止できるよう形成し、一方、操作レバーの揺動操作によって、操作レバーの一部がストッパー片の一端部を押圧すると共に、捩りコイルバネの弾発力に抗してストッパー片を揺動せしめられるよう形成し、更に、停止歯部が係止歯部から離れる向きにロックフレームを揺動せしめられるよう構成したことを特徴とする請求項１記載のベビーカー用リクライニング装置。
【請求項３】
ベビーカー本体に揺動自在に装着される背もたれ基体と、その左右端部がベビーカー本体に夫々固定されると共に、背もたれ基体に装着されて、背もたれ基体を支えるリクライニングベルトとを有し、背もたれ基体に内装した長さ調節機構を介してリクライニングベルトの長さ調節ができるように形成して、背もたれ基体を任意の傾斜角度に傾けられるよう構成したベビーカー用リクライニング装置であって、前記長さ調節機構は、背もたれ基体に固定される基枠と、この基枠に回転自在に装着されるベルト巻取体と、背もたれ基体に揺動自在に装着される操作レバーとを備え、ベルト巻取体には、リクライニングベルトが巻込み、巻出し自在となるベルト巻取部と、略歯車状の係止歯部と、巻込スプリングが内蔵されるスプリング収容部とを設け、巻込スプリングに予め蓄積付与せしめた巻込み弾発力を利用して、リクライニングベルトがベルト巻取体に常時巻込まれるように形成し、操作レバーには、ベルト巻取体の係止歯部に係脱自在に係止する停止歯部を設け、操作レバーの揺動操作で、停止歯部と係止歯部の係止状態が解除されたときに、長さ調節機構によるリクライニングベルトの長さ調節が行えるよう構成したことを特徴とするベビーカー用リクライニング装置。
【発明の詳細な説明】
【０００１】
【発明の属する技術分野】
本発明は、主に、買い物、散歩、旅行等で外出する際に、赤ちゃんを乗せて走行させるベビーカーに於いて、その背もたれ部分を、簡単に且つスムーズに任意の傾斜角度に傾けられるように工夫したベビーカー用リクライニング装置に関するものである。
【０００２】
【従来の技術】
従来、この種のベビーカー用リクライニング装置としては、例えば、実開平７−４２４８号公報に記載されているような乳母車がある。
これは、背もたれ部の背面がわに配される第１のベルトと、第２のベルトと、第１のベルトに連結されると共に、第２のベルトを通過させるベルト通路を有するバックルとを備え、第２のベルトには複数の係合凹部を形成し、バックルには操作部材を内装し、この操作部材に設けた係合凸部を任意の前記係合凹部に係合せしめることで、ベルトの長さ調整を行って、背もたれ部の傾斜角度を変更できるよう構成されたものである。
【０００３】
【発明が解決しようとする課題】
ところが、前述の如き手段にあっては、ベルトの長さ調整及び背もたれ部の傾斜角度の変更がスムーズに行い難い難点があった。更に、片手でこれらの操作を軽快に行い難い難点もあった。
特に、背もたれ部に赤ちゃんによるの負荷等が掛かっている状態で、その傾斜角度を変更しようと、係合凸部と係合凹部との係合状態を解除すると、背もたれ部がその負荷によって後に倒れ易い難点や、この状態のまま背もたれ部を起すようにするときに、赤ちゃんによる負荷以上の腕力を要するようになる難点等があった。加えて、第１のベルト、第２のベルト、及びバックルが殆ど外部に露出しており、外観上の体裁があまり良くない難点等もあった。
【０００４】
【課題を解決するための手段】
そこで、本発明は、前述の如き難点等を解消して、操作レバー２０の揺動操作だけで、リクライニングベルトＢの長さ調整が簡単に且つ確実に行えると共に、背もたれ基体Ａを任意の傾斜角度に容易に且つスムーズに傾けられ、しかも、操作レバー２０を片手で簡単に操作でき、背もたれ基体Ａに赤ちゃんによる負荷等が掛かっている状態でも、背もたれ基体Ａがその負荷によって後に簡単に倒れてしまうようなことがなくなると共に、背もたれ基体Ａを軽快に傾けられ、更に、リクライニングベルトＢが弛むこともなく、外観上の体裁が良く、取扱い易く、使い勝手に優れ、構成簡素で、量産に適し、比較的低廉で、経済的なリクライニング装置を提供できるようにすべく創出されたものである。
【０００５】
しかして、請求項１記載のベビーカー用リクライニング装置にあっては、ベビーカー本体に揺動自在に装着される背もたれ基体Ａと、その左右端部がベビーカー本体に夫々固定されると共に、背もたれ基体Ａに装着されて、背もたれ基体Ａを支えるリクライニングベルトＢとを有し、背もたれ基体Ａに内装した長さ調節機構を介してリクライニングベルトＢの長さ調節ができるように形成して、背もたれ基体Ａを任意の傾斜角度に傾けられるよう構成したベビーカー用リクライニング装置であって、前記長さ調節機構は、背もたれ基体Ａに固定される基枠１と、この基枠１に回転自在に装着されるベルト巻取体５と、背もたれ基体Ａに揺動自在に装着される操作レバー２０と、この操作レバー２０に揺動自在に装着されるロックフレーム２５とを備え、ベルト巻取体５には、リクライニングベルトＢが巻込み、巻出し自在となるベルト巻取部６と、略歯車状の係止歯部８と、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成し、ロックフレーム２５には、ベルト巻取体５の係止歯部８に係脱自在に係止する停止歯部２６を設け、操作レバー２０の揺動操作に連繋してロックフレーム２５が揺動し、停止歯部２６と係止歯部８の係止状態が解除されたときに、長さ調節機構によるリクライニングベルトＢの長さ調節が行えるよう構成する手段を採用した。
【０００６】
また、請求項２記載のベビーカー用リクライニング装置にあっては、ロックフレーム２５のストッパー取付部２７に取付ピン３２を介してストッパー片３０を揺動自在に装着すると共に、このストッパー片３０に、捩りコイルバネ３３の弾発力を付与せしめ、ストッパー片３０の他端部が背もたれ基体Ａに向って突出して、ロックフレーム２５の揺動を阻止できるよう形成し、一方、操作レバー２０の揺動操作によって、操作レバー２０の一部がストッパー片３０の一端部を押圧すると共に、捩りコイルバネ３３の弾発力に抗してストッパー片３０を揺動せしめられるよう形成し、更に、停止歯部２６が係止歯部８から離れる向きにロックフレーム２５を揺動せしめられるよう構成する手段を採用した。
【０００７】
更に、請求項３記載のベビーカー用リクライニング装置にあっては、ベビーカー本体に揺動自在に装着される背もたれ基体Ａと、その左右端部がベビーカー本体に夫々固定されると共に、背もたれ基体Ａに装着されて、背もたれ基体Ａを支えるリクライニングベルトＢとを有し、背もたれ基体Ａに内装した長さ調節機構を介してリクライニングベルトＢの長さ調節ができるように形成して、背もたれ基体Ａを任意の傾斜角度に傾けられるよう構成したベビーカー用リクライニング装置であって、前記長さ調節機構は、背もたれ基体Ａに固定される基枠１と、この基枠１に回転自在に装着されるベルト巻取体５と、背もたれ基体Ａに揺動自在に装着される操作レバー２０とを備え、ベルト巻取体５には、リクライニングベルトＢが巻込み、巻出し自在となるベルト巻取部６と、略歯車状の係止歯部８と、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成し、操作レバー２０には、ベルト巻取体５の係止歯部８に係脱自在に係止する停止歯部２６を設け、操作レバー２０の揺動操作で、停止歯部２６と係止歯部８の係止状態が解除されたときに、長さ調節機構によるリクライニングベルトＢの長さ調節が行えるよう構成する手段を採用した。
【０００８】
【発明の実施の形態】
以下、本発明を図示例に基づいて説明すると、次の通りである。
本発明は、買い物、散歩、旅行等で外出する際に、赤ちゃんを乗せて走行させるベビーカーに於いて、赤ちゃんの姿勢を調節できるように、その背もたれ部分を、任意の傾斜角度に傾けられるようにしたベビーカー用リクライニング装置であって、このリクライニング装置は、適宜構成のベビーカー本体にその下部が枢着されて、その上部がわが前後方向に揺動自在となるように形成される適宜合成樹脂製の背もたれ基体Ａと、ベビーカー本体の左右ハンドルパイプにその左右端部が夫々固定されると共に、背もたれ基体Ａの上部を貫通するように装着されて、背もたれ基体Ａを支えられるように形成した長尺帯状のリクライニングベルトＢとを有し、背もたれ基体Ａに内装した長さ調節機構を介してリクライニングベルトＢの長さ調節ができるように形成することで、背もたれ基体Ａを任意の傾斜角度に傾けられると共に、その傾斜状態を確実に維持できるよう構成したものである。尚、図中Ａ１は、ベビーカー本体の左右ハンドルパイプにその左右端縁部分が夫々固定されると共に、その中央部分が背もたれ基体Ａの正面がわに固定される背もたれシートである。
【０００９】
また、前記リクライニング装置の前記長さ調節機構は、背もたれ基体Ａに固定される（或いは、背もたれ基体Ａに一体に形成される）適宜合成樹脂製の基枠１と、上下に略沿うような回転中心線にて回転自在となるよう基枠１に装着される適宜合成樹脂製のベルト巻取体５と、前後方向に揺動自在となるように背もたれ基体Ａに装着される適宜合成樹脂製の操作レバー２０と、前後方向に揺動自在となるように操作レバー２０に装着される適宜合成樹脂製のロックフレーム２５とを備え、前記ベルト巻取体５には、リクライニングベルトＢが巻込み、巻出し自在となるベルト巻取部６と、このベルト巻取部６の下部に連設される略歯車状の係止歯部８と、ベルト巻取部６の上部に連設されると共に、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成されている。
更に、ロックフレーム２５には、ベルト巻取体５の係止歯部８に係脱自在に係止する略円弧状に曲成される停止歯部２６を設け、操作レバー２０の揺動操作に連繋してロックフレーム２５が揺動し、停止歯部２６とベルト巻取体５の係止歯部８の係止状態が解除されたときに、長さ調節機構によるリクライニングベルトＢの長さ調節が行えるよう構成されている。
【００１０】
すなわち、停止歯部２６が係止歯部８に係止しているときには、リクライニングベルトＢの長さが維持されて、背もたれ基体Ａの傾斜状態が安定、維持できるようになる。一方、操作レバー２０の揺動操作で、停止歯部２６が係止歯部８から離れるようにロックフレーム２５を揺動させて、停止歯部２６と係止歯部８の係止状態を解除でき、このとき、ベルト巻取体５が回転自在となって、長さ調節機構によってリクライニングベルトＢの長さ調節が行えるようになり、背もたれ基体Ａを任意の傾斜角度に傾けられるように構成されている。
特に、係止歯部８と停止歯部２６の係止状態を解除して、背もたれ基体Ａを任意の傾斜角度に傾ける際には、巻込スプリング１０の弾発力がリクライニングベルトＢを短くするように作用して、この力が傾いている背もたれ基体Ａを起す向きに作用し、背もたれ基体Ａが負荷等によって倒れるようなことがなく、背もたれ基体Ａを軽快に傾けられるように構成されている。しかも、リクライニングベルトＢは、弛むことがないように形成されている。
【００１１】
加えて、ロックフレーム２５の下部左右には、ストッパー取付部２７が設けられ、このストッパー取付部２７には、取付ピン３２を介してストッパー片３０が略上下方向に揺動自在となるよう装着されている。しかも、このストッパー片３０には、捩りコイルバネ３３の弾発力が付与せしめられており、ストッパー片３０の他端部が背もたれ基体Ａに向って略直交するように突出して、ロックフレーム２５の揺動を阻止できるよう形成されている。
ところで、操作レバー２０の揺動操作によって、操作レバー２０の一部がストッパー片３０の一端部を押圧すると共に、捩りコイルバネ３３の弾発力に抗してストッパー片３０を揺動せしめられるよう形成してあり、このストッパー片３０の揺動と略同時に、停止歯部２６が係止歯部８から離れる向きにロックフレーム２５を捩りコイルバネ２８の弾発力に抗して揺動せしめられるよう構成されている。
すなわち、不意の外力等がロックフレーム２５に作用したとしても、操作レバー２０を操作しない限りは、停止歯部２６と係止歯部８との係止状態が解除されることがなく、長さ調節機構によるリクライニングベルトＢの調節長さを維持でき、ひいては、背もたれ基体Ａの傾斜状態を安定的に維持できるように構成されている。
また、操作レバー２０を僅かに揺動させただけでは、ロックフレーム２５の揺動阻止状態が解除されるようになるまでに、捩りコイルバネ３３の弾発力に抗してストッパー片３０が大きく揺動せず、停止歯部２６と係止歯部８との係止状態が維持されるように構成されている。
【００１２】
ところで、本発明のリクライニング装置は、停止歯部２６を操作レバー２０に設けて、操作レバー２０の揺動操作によってベルト巻取体５の係止歯部８と、停止歯部２６とが係脱自在に係止されるように構成しても良い（図示せず）。
【００１３】
前記背もたれ基体Ａは、例えば、適宜合成樹脂材によって一体的に構成されており、ベビーカー本体の左右ハンドルパイプの間に位置するように配され、その上部の左右側部には、リクライニングベルトＢの挿通孔となるガイド孔が穿設され、その上部中央には、操作レバー２０下部の指掛部（操作部分）が背面がわに露出するような凹部が形成されている。尚、背もたれ基体Ａには、軽量化と共にその強度、剛性が維持できるように適宜リブが設けられている。
【００１４】
リクライニングベルトＢは、例えば、可撓性を備えた適宜長尺帯状に形成され、その左右端部は左右ハンドルパイプに適宜固着手段によって固着されており、その長手方向中央部分はベルト巻取体５のベルト巻取部６に設けたベルト挿通孔９に挿通されると共に、ベルト巻取体５の正逆回転によって、ベルト巻取部６で巻取り、或いはベルト巻取部６から巻出しできるように構成されている。
【００１５】
基枠１は、例えば、背面板と、左右側板と、上下板とからなる背面がわが開放されているような略ボックス状に形成され、取付ネジ等によって背もたれ基体Ａの正面がわに固定できるよう構成されている。そして、左右側板には、リクライニングベルトＢの挿通孔となるガイド孔が設けられ、下板には、ベルト巻取体５を回転自在に支持する軸ピン１７の挿通孔が穿設され、上板には、固定軸体１５を回転不能に支持する差込孔が穿設されている。尚、基枠１は、背もたれ基体Ａに一体的に設けたものであっても良い。
【００１６】
ベルト巻取体５は、例えば、ベルト巻取部６を適宜肉抜きを施した軸状に形成し、このベルト巻取部６の上部に、上方が開放されている略短有底円筒状のスプリング収容部７を連設し、ベルト巻取部６の下部に、略歯車状の係止歯部８を連設して形成されており、このベルト巻取体５の下部を支持する軸ピン１７と、ベルト巻取体５の上部を支持する固定軸体１５とを介して、正逆回転自在となるように基枠１に装着されている。
そして、ベルト巻取部６には、ベルト挿通孔９が穿設され、スプリング収容部７内には、巻込スプリング１０の係止端部１１が係止される係止溝が設けてあり、固定軸体１５には、巻込スプリング１０の係止孔１２に係止される係止突起１６が突設されている。
【００１７】
前記巻込スプリング１０は、例えば、長尺帯状の適宜バネ材を略渦巻き状に巻装せしめて構成されており、その外がわ端部に係止端部１１が形成され、その内がわ端部に係止孔１２が設けられている。そして、この巻込スプリング１０は、その巻込み弾発力を予め蓄積付与せしめた状態でスプリング収容部７に縮装され、巻込み弾発力の解放方向にベルト巻取体５が回転（例えば、図５に於いて左回転）するように構成されている。しかも、リクライニングベルトＢがベルト巻取体５に常時巻込まれるように形成されている。
【００１８】
固定軸体１５は、例えば、スプリング収容部７の上部開放部分を施蓋するような円板の上部に、基枠１の上板に設けた差込孔に合致してその回転を阻止する固定軸部を突設し、前記円板の下部に、スプリング収容部７の底板に設けた円孔に回転自在に挿入される回転軸部を突設して形成されており、この回転軸部の側周部に設けた係止突起１６に巻込スプリング１０の係止孔１２が係止されるようになる。
【００１９】
前記操作レバー２０は、例えば、略矩形枠状のレバー基部の下端に比較的大きな指掛部が連設されている。そして、この操作レバー２０は、その上端左右に設けた軸孔に取付軸ピン２１を挿通することによって、その下部が前後方向に揺動自在となるように背もたれ基体Ａに装着されている。また、操作レバー２０のレバー基体の下部左右には、一対のコイルスプリング状の弾発スプリング２２の弾発力が付勢されており、操作レバー２０の下部がベルト巻取体５がわに常時接近するように形成されている。
【００２０】
前記ロックフレーム２５は、例えば、全体略矩形枠状に形成され、その下部中央には、ベルト巻取体５の係止歯部８に安定的に係止される停止歯部２６が設けられ、また、その上端左右に設けた軸孔に前記取付軸ピン２１を挿通することによって、その下部が前後方向に揺動自在となるように操作レバー２０に装着されている。更に、ロックフレーム２５の左右中央部分には、一対の捩りコイルバネ２８が固定ピン２９を介して固定されており、この捩りコイルバネ２８の弾発力によって、ロックフレーム２５の下部の停止歯部２６がベルト巻取体５の係止歯部８がわに常時接近するように形成されている。しかも、ロックフレーム２５の左右下部には、ストッパー片３０が収容可能となるストッパー取付部２７が設けてある。
【００２１】
ストッパー片３０は、例えば、その中心にピン孔３１が穿設されている略扇状の一端部と、この一端部に連設される略短角柱状の他端部とからなり、ロックフレーム２５のストッパー取付部２７に収まると共に、ピン孔３１に挿通される取付ピン３２を介して他端部がわが略水平状態から斜上方の間で揺動できるように形成されている。しかも、ストッパー片３０には、捩りコイルバネ３３の弾発力が付勢されており、他端部が常時背もたれ基体Ａがわに向って略直交状に突出する状態（略水平状態）となるよう形成されている。すなわち、不意の外力等がロックフレーム２５に作用したとしても、ストッパー片３０の他端部が背もたれ基体Ａに直ぐに当接して、それ以上のロックフレーム２５の揺動が阻止され、停止歯部２６と係止歯部８との係止状態が解除できず、長さ調節機構によるリクライニングベルトＢの調節長さを確実に維持できるように構成されている。一方、操作レバー２０を揺動操作したときは、操作レバー２０の一部がストッパー片３０の一端部を押圧して、ストッパー片３０を捩りコイルバネ３３の弾発力に抗して揺動せしめられるように形成してあり、ストッパー片３０の他端部が背もたれ基体Ａに当接せずに、ロックフレーム２５を揺動できるようになり、停止歯部２６と係止歯部８との係止状態が解除できるように構成されている。
【００２２】
尚、リクライニング装置の具体的構成、形状、寸法、材質、背もたれ基体Ａの具体的構成、形状、寸法、材質、背もたれシートＡ１の具体的構成、形状、寸法、材質、リクライニングベルトＢの具体的構成、形状、寸法、材質、基枠１の具体的構成、形状、寸法、材質、ベルト巻取体５の具体的構成、形状、寸法、材質、ベルト巻取部６の具体的構成、形状、寸法、スプリング収容部７の具体的構成、形状、寸法、係止歯部８の具体的構成、形状、寸法、材質、ベルト挿通孔９の具体的構成、形状、寸法、巻込スプリング１０の具体的構成、形状、寸法、材質、係止端部１１の具体的構成、形状、寸法、係止孔１２の具体的構成、形状、寸法、固定軸体１５の具体的構成、形状、寸法、材質、係止突起１６の具体的構成、形状、寸法、軸ピン１７の具体的構成、形状、寸法、材質、操作レバー２０の具体的構成、形状、寸法、材質、取付軸ピン２１の具体的構成、形状、寸法、材質、弾発スプリング２２の具体的構成、形状、寸法、材質、ロックフレーム２５の具体的構成、形状、寸法、材質、停止歯部２６の具体的構成、形状、寸法、材質、ストッパー取付部２７の具体的構成、形状、寸法、配設位置、数、捩りコイルバネ２８の具体的構成、形状、寸法、材質、固定ピン２９の具体的構成、形状、寸法、材質、ストッパー片３０の具体的構成、形状、寸法、材質、数、配設位置、ピン孔３１の具体的構成、形状、寸法、配設位置、取付ピン３２の具体的構成、形状、寸法、材質、捩りコイルバネ３３の具体的構成、形状、寸法、材質等は、図示例のもの等に限定されることなく適宜自由に設定、変更できるものである。
【００２３】
【発明の効果】
従って、請求項１記載のリクライニング装置は、ベビーカー本体に揺動自在に装着される背もたれ基体Ａと、その左右端部がベビーカー本体に夫々固定されると共に、背もたれ基体Ａに装着されて、背もたれ基体Ａを支えるリクライニングベルトＢとを有し、背もたれ基体Ａに内装した長さ調節機構を介してリクライニングベルトＢの長さ調節ができるように形成して、背もたれ基体Ａを任意の傾斜角度に傾けられるよう構成したベビーカー用リクライニング装置であって、前記長さ調節機構は、背もたれ基体Ａに固定される基枠１と、この基枠１に回転自在に装着されるベルト巻取体５と、背もたれ基体Ａに揺動自在に装着される操作レバー２０と、この操作レバー２０に揺動自在に装着されるロックフレーム２５とを備え、ベルト巻取体５には、リクライニングベルトＢが巻込み、巻出し自在となるベルト巻取部６と、略歯車状の係止歯部８と、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成し、ロックフレーム２５には、ベルト巻取体５の係止歯部８に係脱自在に係止する停止歯部２６を設け、操作レバー２０の揺動操作に連繋してロックフレーム２５が揺動し、停止歯部２６と係止歯部８の係止状態が解除されたときに、長さ調節機構によるリクライニングベルトＢの長さ調節が行えるよう構成したので、停止歯部２６が係止歯部８に係止しているときには、リクライニングベルトＢの長さが維持されて、背もたれ基体Ａの傾斜状態を安定、維持できるようになり、一方、操作レバー２０の揺動操作だけで、停止歯部２６と係止歯部８の係止状態を簡単に解除でき、しかも、長さ調節機構によってリクライニングベルトＢの長さ調節が簡単に且つ確実に行えるようになり、背もたれ基体Ａを任意の傾斜角度に容易に且つスムーズに傾けられるようになる。更に、操作レバー２０は片手で簡単に操作でき、取扱い易く、使い勝手の優れたリクライニング装置となる。
加えて、長さ調節機構を背もたれ基体Ａに内装でき、外観上の体裁も良く、しかも、構成が簡素で、量産に適し、比較的低廉に提供できるようになり、経済的なリクライニング装置となる。
【００２４】
特に、前記長さ調節機構は、背もたれ基体Ａに固定される基枠１と、この基枠１に回転自在に装着されるベルト巻取体５と、背もたれ基体Ａに揺動自在に装着される操作レバー２０と、この操作レバー２０に揺動自在に装着されるロックフレーム２５とを備え、ベルト巻取体５には、リクライニングベルトＢが巻込み、巻出し自在となるベルト巻取部６と、略歯車状の係止歯部８と、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成したので、係止歯部８と停止歯部２６の係止状態を解除して、背もたれ基体Ａを任意の傾斜角度に傾ける際には、巻込スプリング１０の弾発力がリクライニングベルトＢを短くするように作用するため、この力が傾いている背もたれ基体Ａを起す向きに作用し、赤ちゃんによる負荷等が背もたれ基体Ａに掛かっていたとしても、背もたれ基体Ａがその負荷によって後に簡単に倒れてしまうような虞れがなくなり、背もたれ基体Ａを軽快に傾けられるようになる。しかも、リクライニングベルトＢは、弛むことがないものとなる。
【００２５】
また、請求項２記載のリクライニング装置は、ロックフレーム２５のストッパー取付部２７に取付ピン３２を介してストッパー片３０を揺動自在に装着すると共に、このストッパー片３０に、捩りコイルバネ３３の弾発力を付与せしめ、ストッパー片３０の他端部が背もたれ基体Ａに向って突出して、ロックフレーム２５の揺動を阻止できるよう形成し、一方、操作レバー２０の揺動操作によって、操作レバー２０の一部がストッパー片３０の一端部を押圧すると共に、捩りコイルバネ３３の弾発力に抗してストッパー片３０を揺動せしめられるよう形成し、更に、停止歯部２６が係止歯部８から離れる向きにロックフレーム２５を揺動せしめられるよう構成したので、不意の外力等がロックフレーム２５に作用したとしても操作レバー２０を操作しない限りは、停止歯部２６と係止歯部８との係止状態が解除される虞れがなく、長さ調節機構によるリクライニングベルトＢの調節長さを確実に維持でき、ひいては、背もたれ基体Ａの傾斜状態を安定的に維持でき、安全性の優れたリクライニング装置となる。加えて、操作レバー２０を僅かに揺動させただけでは、ロックフレーム２５の揺動阻止状態が解除されるようになるまでに、捩りコイルバネ３３の弾発力に抗してストッパー片３０が大きく揺動せず、停止歯部２６と係止歯部８との係止状態が維持されるようになる。
【００２６】
更に、請求項３記載のリクライニング装置は、ベビーカー本体に揺動自在に装着される背もたれ基体Ａと、その左右端部がベビーカー本体に夫々固定されると共に、背もたれ基体Ａに装着されて、背もたれ基体Ａを支えるリクライニングベルトＢとを有し、背もたれ基体Ａに内装した長さ調節機構を介してリクライニングベルトＢの長さ調節ができるように形成して、背もたれ基体Ａを任意の傾斜角度に傾けられるよう構成したベビーカー用リクライニング装置であって、前記長さ調節機構は、背もたれ基体Ａに固定される基枠１と、この基枠１に回転自在に装着されるベルト巻取体５と、背もたれ基体Ａに揺動自在に装着される操作レバー２０とを備え、ベルト巻取体５には、リクライニングベルトＢが巻込み、巻出し自在となるベルト巻取部６と、略歯車状の係止歯部８と、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成し、操作レバー２０には、ベルト巻取体５の係止歯部８に係脱自在に係止する停止歯部２６を設け、操作レバー２０の揺動操作で、停止歯部２６と係止歯部８の係止状態が解除されたときに、長さ調節機構によるリクライニングベルトＢの長さ調節が行えるよう構成したので、停止歯部２６が係止歯部８に係止しているときには、リクライニングベルトＢの長さが維持されて、背もたれ基体Ａの傾斜状態を安定、維持できるようになり、一方、操作レバー２０の揺動操作だけで、停止歯部２６と係止歯部８の係止状態を簡単に解除でき、しかも、長さ調節機構によってリクライニングベルトＢの長さ調節が簡単に且つ確実に行えるようになり、背もたれ基体Ａを任意の傾斜角度に容易に且つスムーズに傾けられるようになる。更に、操作レバー２０は片手で簡単に操作でき、取扱い易く、使い勝手の優れたリクライニング装置となる。
加えて、長さ調節機構を背もたれ基体Ａに内装でき、外観上の体裁も良く、しかも、構成がより簡素で、量産に適し、比較的低廉に提供できるようになり、経済的なリクライニング装置となる。
【００２７】
特に、前記長さ調節機構は、背もたれ基体Ａに固定される基枠１と、この基枠１に回転自在に装着されるベルト巻取体５と、背もたれ基体Ａに揺動自在に装着される操作レバー２０とを備え、ベルト巻取体５には、リクライニングベルトＢが巻込み、巻出し自在となるベルト巻取部６と、略歯車状の係止歯部８と、巻込スプリング１０が内蔵されるスプリング収容部７とを設け、巻込スプリング１０に予め蓄積付与せしめた巻込み弾発力を利用して、リクライニングベルトＢがベルト巻取体５に常時巻込まれるように形成したので、係止歯部８と停止歯部２６の係止状態を解除して、背もたれ基体Ａを任意の傾斜角度に傾ける際には、巻込スプリング１０の弾発力がリクライニングベルトＢを短くするように作用するため、この力が傾いている背もたれ基体Ａを起す向きに作用し、赤ちゃんによる負荷等が背もたれ基体Ａに掛かっていたとしても、背もたれ基体Ａがその負荷によって後に簡単に倒れてしまうような虞れがなくなり、背もたれ基体Ａを軽快に傾けられるようになる。しかも、リクライニングベルトＢは、弛むことがないものとなる。
【図面の簡単な説明】
【図１】本発明のリクライニング装置を内蔵したベビーカーを例示する斜視図である。
【図２】本発明のリクライニング装置を例示する分解斜視図である。
【図３】本発明のリクライニング装置を例示する一部切欠正面図である。
【図４】本発明のリクライニング装置を例示する一部省略縦断側面図である。
【図５】本発明のリクライニング装置を例示する一部切欠平面図である。
【図６】本発明のリクライニング装置を例示する縦断側面図である。
【図７】本発明のリクライニング装置を例示する縦断側面図である。
【符号の説明】
Ａ      背もたれ基体                  Ａ１    背もたれシート
Ｂ      リクライニングベルト
１      基枠
５      ベルト巻取体                  ６      ベルト巻取部
７      スプリング収容部              ８      係止歯部
９      ベルト挿通孔
１０    巻込スプリング                １１    係止端部
１２    係止孔
１５    固定軸体                      １６    係止突起
１７    軸ピン
２０    操作レバー                    ２１    取付軸ピン
２２    弾発スプリング
２５    ロックフレーム                ２６    停止歯部
２７    ストッパー取付部              ２８    捩りコイルバネ
２９    固定ピン
３０    ストッパー片                  ３１    ピン孔
３２    取付ピン                      ３３    捩りコイルバネ
【図１】
0004650658.tif 000002
【図２】
0004650658.tif 000003
【図３】
0004650658.tif 000004
【図４】
0004650658.tif 000005
【図５】
0004650658.tif 000006
【図６】
0004650658.tif 000007
【図７】
0004650658.tif 000008